(57)【要約】【目的】ＵＳＢコネクタを本体部に対してスライド可能に、かつ、収容可能に取り付けることによって、簡単な操作で、使用する際にはＵＳＢコネクタを本体部から突出させ、不使用の際にはＵＳＢコネクタを本体部内に収容させることができるようにする。【構成】本体部と、該本体部に対して移動可能な可動部とを有するＵＳＢメモリ装置１０であって、前記可動部は、ＵＳＢコネクタ４５を備え、該ＵＳＢコネクタ４５が前記本体部から突出する位置と前記ＵＳＢコネクタ４５が前記本体部内に収容される位置との間で移動可能である。【選択図】図１
0003110924.tif 000002
【実用新案登録請求の範囲】
【請求項１】
（ａ）本体部と、該本体部に対して移動可能な可動部とを有するＵＳＢメモリ装置であって、
（ｂ）前記可動部は、ＵＳＢコネクタを備え、該ＵＳＢコネクタが前記本体部から突出する位置と前記ＵＳＢコネクタが前記本体部内に収容される位置との間で移動可能であることを特徴とするＵＳＢメモリ装置。
【請求項２】
（ａ）前記本体部は、可動部操作用開口及びコネクタ用開口が形成された上カバー部材を備え、
（ｂ）前記可動部は、操作突起を含み、前記ＵＳＢコネクタとともに移動する移動カバー部材を備え、
（ｃ）前記操作突起は、前記可動部操作用開口内に進入して該可動部操作用開口内を移動し、前記ＵＳＢコネクタが前記本体部から突出する位置において前記可動部操作用開口の一端に当接し、前記ＵＳＢコネクタが前記本体部内に収容される位置において前記可動部操作用開口の他端に当接し、
（ｄ）前記ＵＳＢコネクタは、前記コネクタ用開口を通過して前記本体部から突出する請求項１に記載のＵＳＢメモリ装置。
【請求項３】
（ａ）前記上カバー部材は移動防止用係合片を備え、
（ｂ）前記移動カバー部材は、前記移動防止用係合片と係合可能な移動防止突起を備え、
（ｃ）該移動防止突起は、前記ＵＳＢコネクタが前記本体部から突出する位置において前記移動防止用係合片と係合し、前記操作突起の操作によって前記移動防止用係合片と係合が解除される請求項２に記載のＵＳＢメモリ装置。
【考案の詳細な説明】
【技術分野】
【０００１】
本考案は、ＵＳＢメモリ装置に関するものである。
【背景技術】
【０００２】
従来、パーソナルコンピュータ等の電子機器に装備されているＵＳＢ（Ｕｎｉｖｅｒｓａｌ  Ｓｅｒｉａｌ  Ｂｕｓ）ポートに接続可能なＵＳＢメモリ装置が提供されている。ＵＳＢポートは、パーソナルコンピュータやその周辺機器の他にも、デジタルカメラ、オーディオ機器等の電子機器においても採用されており、広く普及している。そして、ＵＳＢコネクタを備えたＵＳＢメモリ装置は、各種の電子機器のＵＳＢポートにＵＳＢコネクタを差し込むだけで当該電子機器の外部記憶装置として機能するので、利便性が極めて高いものである。
【考案の開示】
【考案が解決しようとする課題】
【０００３】
しかしながら、前記従来のＵＳＢメモリ装置においては、ＵＳＢコネクタがメモリ装置本体から突出した状態で固定されている。そのため、ＵＳＢメモリ装置を使用していないときでもＵＳＢコネクタがメモリ装置本体から突出したままになっているので、ＵＳＢメモリ装置を容器に収容する場合、突出しているＵＳＢコネクタが邪魔になり、容器が大型化してしまう。また、ＵＳＢコネクタがメモリ装置本体から突出したままになっているので、ＵＳＢメモリ装置のデザイン性が低下してしまう。
【０００４】
さらに、メモリ装置本体から突出しているＵＳＢコネクタによって、ＵＳＢメモリ装置の使用者の手や指を傷付けてしまうこともある。もっとも、ＵＳＢメモリ装置を使用していないときにＵＳＢコネクタにキャップ等の被覆部材を被せることによって、使用者の手や指を傷付けることを防止する技術も提案されているが、被覆部材を着脱する手間がかかり、使用者は煩わしく感じてしまう。また、被服部材を紛失してしまった場合には、ＵＳＢコネクタを保護することができなくなってしまう。
【０００５】
本考案は、前記従来のＵＳＢメモリ装置の問題点を解決して、ＵＳＢコネクタを本体部に対してスライド可能に、かつ、収容可能に取り付けることによって、簡単な操作で、使用する際にはＵＳＢコネクタを本体部から突出させ、不使用の際にはＵＳＢコネクタを本体部内に収容させることができるＵＳＢメモリ装置を提供することを目的とする。
【課題を解決するための手段】
【０００６】
そのために、本考案のＵＳＢメモリ装置においては、本体部と、該本体部に対して移動可能な可動部とを有するＵＳＢメモリ装置であって、前記可動部は、ＵＳＢコネクタを備え、該ＵＳＢコネクタが前記本体部から突出する位置と前記ＵＳＢコネクタが前記本体部内に収容される位置との間で移動可能である。
【０００７】
本考案の他のＵＳＢメモリ装置においては、さらに、前記本体部は、可動部操作用開口及びコネクタ用開口が形成された上カバー部材を備え、前記可動部は、操作突起を含み、前記ＵＳＢコネクタとともに移動する移動カバー部材を備え、前記操作突起は、前記可動部操作用開口内に進入して該可動部操作用開口内を移動し、前記ＵＳＢコネクタが前記本体部から突出する位置において前記可動部操作用開口の一端に当接し、前記ＵＳＢコネクタが前記本体部内に収容される位置において前記可動部操作用開口の他端に当接し、前記ＵＳＢコネクタは、前記コネクタ用開口を通過して前記本体部から突出する。
【０００８】
本考案の更に他のＵＳＢメモリ装置においては、さらに、前記上カバー部材は移動防止用係合片を備え、前記移動カバー部材は、前記移動防止用係合片と係合可能な移動防止突起を備え、該移動防止突起は、前記ＵＳＢコネクタが前記本体部から突出する位置において前記移動防止用係合片と係合し、前記操作突起の操作によって前記移動防止用係合片と係合が解除される。
【考案の効果】
【０００９】
本考案によれば、ＵＳＢメモリ装置は、本体部と、該本体部に対して移動可能な可動部とを有するＵＳＢメモリ装置であって、前記可動部は、ＵＳＢコネクタを備え、該ＵＳＢコネクタが前記本体部から突出する位置と前記ＵＳＢコネクタが前記本体部内に収容される位置との間で移動可能である。
【００１０】
そのため、簡単な操作で、使用する際にはＵＳＢコネクタを本体部から突出させ、不使用の際にはＵＳＢコネクタを本体部内に収容させることができる。すなわち、ＵＳＢメモリ装置を使用する場合には、簡単な操作でＵＳＢコネクタを本体部から突出させ、電子機器が備えるＵＳＢポートに接続することができる。また、ＵＳＢメモリ装置を使用しない場合には、簡単な操作でＵＳＢコネクタを本体部内に収容することができる。これにより、ＵＳＢメモリ装置の保管が容易となり、また、ＵＳＢメモリ装置のデザイン性及び安全性を向上させることができる。
【考案を実施するための最良の形態】
【００１１】
ＵＳＢメモリ装置の本体部は、可動部操作用開口及びコネクタ用開口が形成された上カバー部材を備え、可動部は、操作突起を含み、ＵＳＢコネクタとともに移動する移動カバー部材を備え、操作突起は、可動部操作用開口内に進入して可動部操作用開口内を移動し、ＵＳＢコネクタが本体部から突出する位置において可動部操作用開口の一端に当接し、ＵＳＢコネクタが本体部内に収容される位置において可動部操作用開口の他端に当接し、ＵＳＢコネクタは、コネクタ用開口を通過して本体部から突出する。また、上カバー部材は移動防止用係合片を備え、移動カバー部材は、移動防止用係合片と係合可能な移動防止突起を備え、移動防止突起は、ＵＳＢコネクタが本体部から突出する位置において移動防止用係合片と係合し、操作突起の操作によって移動防止用係合片と係合が解除される。
【実施例】
【００１２】
以下、本実施例について図面を参照しながら詳細に説明する。
【００１３】
図１は本実施例におけるＵＳＢメモリ装置の分解斜視図、図２は本実施例におけるＵＳＢメモリ装置の上カバー部材の斜視図、図３は本実施例におけるＵＳＢメモリ装置の上カバー部材の六面図、図４は本実施例におけるＵＳＢメモリ装置のスライドカバー部材の斜視図、図５は本実施例におけるＵＳＢメモリ装置のスライドカバー部材の六面図である。なお、図２（ａ）は上面の斜視図、図２（ｂ）は下面の斜視図、図３（ａ）は上面図、図３（ｂ）は右側面図、図３（ｃ）は左側面図、図３（ｄ）は下面図、図３（ｅ）は後面図、図３（ｆ）は前面図、図４（ａ）は上面の斜視図、図４（ｂ）は下面の斜視図、図５（ａ）は上面図、図５（ｂ）は右側面図、図５（ｃ）は左側面図、図５（ｄ）は下面図、図５（ｅ）は後面図、図５（ｆ）は前面図である。
【００１４】
図１において、１０はＵＳＢメモリ装置である。そして、１１は外カバー部材であり、２０は該外カバー部材１１内に装填（てん）される上カバー部材であり、１５は後部カバー部材である。前記ＵＳＢメモリ装置１０の本体部は、外カバー部材１１、上カバー部材２０及び後部カバー部材１５から成る。なお、本実施例において、ＵＳＢメモリ装置１０の各部の構成及び動作を説明するために使用される上、下、左、右、前、後等の方向を示す表現は、絶対的なものでなく相対的なものであり、ＵＳＢメモリ装置１０又はその構成部品が図に示される姿勢である場合に適切であるが、ＵＳＢメモリ装置１０又はその構成部品の姿勢が変化した場合には姿勢の変化に応じて変更して解釈されるべきものである。
【００１５】
ここで、前記外カバー部材１１は、図１に示されるように、断面が長円形又は楕（だ）円形の筒体状の形状を有し、一側面に長手方向に延在する長方形状の開口１２が形成されている。そして、上カバー部材２０が外カバー部材１１内に装填されると、前記上カバー部材２０の一部が前記開口１２から外部に露出する。
【００１６】
また、上カバー部材２０は、他の部分よりも横方向（長手方向に直交する方向）に突出するフランジ部２５を前端に備える。そして、上カバー部材２０の後端を先頭にして、外カバー部材１１の前端から内部に挿入することによって、上カバー部材２０を外カバー部材１１内に装填する。この場合、前記フランジ部２５が外カバー部材１１の前端に係止することによって、上カバー部材２０が停止する。
【００１７】
さらに、上カバー部材２０の後端面には、図２及び３に示されるように、係合雌部２３が形成されている。そして、外カバー部材１１内に装填された上カバー部材２０の後方から、後部カバー部材１５を押し付け、該後部カバー部材１５の係合雄部１６を前記係合雌部２３に係合させることによって、後部カバー部材１５が上カバー部材２０に取り付けられる。ここで、後部カバー部材１５は、前記フランジ部２５と同様の形状を有し、外カバー部材１１の後端に係止する。これにより、フランジ部２５と後部カバー部材１５とによって外カバー部材１１を前後から挟み込んだ状態となり、上カバー部材２０が外カバー部材１１に固定される。
【００１８】
また、前記上カバー部材２０は、図２及び３に示されるように、下面が開放され、前後方向に延在する空洞部を内部に有する。そして、該空洞部内に、移動カバー部材としてのスライドカバー部材３０に取り付けられた回路基板４０が、前後方向にスライド可能に装填される。なお、前記ＵＳＢメモリ装置１０の移動可能な可動部は、スライドカバー部材３０並びに回路基板４０及び後述されるＵＳＢコネクタ４５等の回路基板４０の実装部品から成る。また、前記上カバー部材２０の上面にはスライドカバー部材３０の後述される操作突起３１が進入する可動部操作用開口としての上面開口２１が形成され、フランジ部２５にはＵＳＢコネクタ４５が通過するコネクタ用開口としての前面開口２２が形成されている。さらに、前記上カバー部材２０の内面における上面開口２１の前端には、スライドカバー部材３０の後述される移動防止突起としての後退防止突起３２と係合する移動防止用係合片としての後退防止用係合突片２４が形成されている。
【００１９】
ここで、前記回路基板４０上には、メモリ素子４１が実装されている。なお、該メモリ素子４１は、制御用のＩＣ（Ｉｎｔｅｇｒａｔｅｄ  Ｃｉｒｃｕｉｔ）を内蔵するものであってもよい。また、前記回路基板４０上には、メモリ素子４１へのデータの書き込みを禁止するためのライトプロテクトスイッチ４２が実装されている。該ライトプロテクトスイッチ４２は、オン−オフ操作突起４３を備え、使用者が前記オン−オフ操作突起４３を左右に移動させることによって、ライトプロテクトのオン−オフ、すなわち、書き込み禁止及び禁止解除の選択をすることができる。なお、前記回路基板４０の後端近傍には、スライドカバー部材３０の係合孔（こう）３５と係合するための係合突起４４が取り付けられている。
【００２０】
さらに、前記回路基板４０の前端には、ＵＳＢコネクタ４５が実装されている。該ＵＳＢコネクタ４５は、回路基板４０に形成された回路を介して前記メモリ素子４１と電気的に接続されている。そして、前記ＵＳＢコネクタ４５は、パーソナルコンピュータ等のコンピュータ、プリンタ等のコンピュータ周辺機器、デジタルカメラ、オーディオ機器等の電子機器が備える相手側コネクタとしてのＵＳＢポートに接続される。
【００２１】
また、前記スライドカバー部材３０は、図４及び５に示されるように、下面が開放され、前後方向に延在する空洞部を内部に有する。そして、該空洞部内に回路基板４０が装填され、固定される。ここで、前記スライドカバー部材３０の前端にはコネクタ通過開口３３が形成され、回路基板４０の前端に実装されたＵＳＢコネクタ４５は、前記コネクタ通過開口３３を通って、スライドカバー部材３０の前端より前方に突出する。これにより、回路基板４０の前端はスライドカバー部材３０の前端に係合される。また、回路基板４０の後端近傍は、係合突起４４が係合孔３５と係合することによって、スライドカバー部材３０の後端近傍に係合される。これにより、ＵＳＢコネクタ４５が実装された回路基板４０がスライドカバー部材３０に取り付けられ、ＵＳＢコネクタ４５は、スライドカバー部材３０と一体となって、前後方向にスライド可能に上カバー部材２０に装填される。
【００２２】
そして、前記スライドカバー部材３０の上面には、使用者が操作するための操作突起３１、上カバー部材２０の前面開口２２から前方に突出した状態のＵＳＢコネクタ４５が後退することを防止するための後退防止突起３２、及び、ライトプロテクトスイッチ４２のオン−オフ操作突起４３が通過するオン−オフ操作用開口３４が形成されている。前記操作突起３１は、スライドカバー部材３０が上カバー部材２０に装填された状態において、該上カバー部材２０の上面開口２１に進入した状態となり、使用者が手の指等を使用して操作突起３１の少なくとも上面に触れて、操作突起３１を前進又は後退させることができる。そして、該操作突起３１の後端が上面開口２１の後端に当接することによって、スライドカバー部材３０の後退限位置が規定され、操作突起３１の前端が上面開口２１の前端に当接することによって、スライドカバー部材３０の前進限位置が規定される。なお、スライドカバー部材３０が後退限位置にあるとき、ＵＳＢコネクタ４５は上カバー部材２０内に収容された状態となり、スライドカバー部材３０が前進限位置にあるとき、ＵＳＢコネクタ４５は、上カバー部材２０の前面開口２２から前方に突出し、電子機器が備えるＵＳＢポートに接続可能な状態となる。
【００２３】
ここで、前記後退防止突起３２は、図５（ｂ）及び（ｃ）に示されるように、側面形状が概略三角形状であり、前方に向けて下方に傾斜する傾斜面を備える。そのため、ＵＳＢコネクタ４５を上カバー部材２０内に収容された状態から前進させて、前面開口２２から前方に突出させる場合には、前記傾斜面が上カバー部材２０の後退防止用係合突片２４と当接するので、ＵＳＢコネクタ４５をスムーズに前進させることができる。一方、前記後退防止突起３２の後端壁は、ほぼ垂直となっているので、ＵＳＢコネクタ４５が上カバー部材２０の前面開口２２から前方に突出した状態においては、上カバー部材２０の後退防止用係合突片２４と係合し、ＵＳＢコネクタ４５が後退することを防止する。
【００２４】
なお、前記スライドカバー部材３０の上面における少なくとも操作突起３１及び後退防止突起３２が形成されている部分は、上下方向に弾性変形可能となっている。そのため、ＵＳＢコネクタ４５を後退させる場合には、使用者が手の指等を使用して、操作突起３１に下方向の力を加えつつ、該操作突起３１を後方に移動させることによって、後退防止突起３２が下方に移動し、後退防止突起３２の後端壁と上カバー部材２０の後退防止用係合突片２４との係合が解除される。これにより、ＵＳＢコネクタ４５をスムーズに後退させ、上カバー部材２０内に収容させることができる。
【００２５】
次に、前記構成のＵＳＢメモリ装置１０の動作について説明する。
【００２６】
図６は本実施例におけるＵＳＢメモリ装置の外観を示す図でありＵＳＢコネクタが収容された状態を示す図、図７は本実施例におけるＵＳＢメモリ装置の外観を示す図でありＵＳＢコネクタが突出した状態を示す図である。なお、図６（ａ）は上面図、図６（ｂ）は側面図、図７（ａ）は上面図、図７（ｂ）は側面図である。
【００２７】
本実施例のＵＳＢメモリ装置１０は、不使用の際には、図６に示されるように、ＵＳＢコネクタ４５が本体部内に収容された状態にすることができる。図６に示される状態においては、スライドカバー部材３０が後退限位置にあり、ＵＳＢコネクタ４５の前端の位置が、上カバー部材２０前端面と等しい位置か又は該前端面より後方の位置にある。なお、操作突起３１の上面が上カバー部材２０の上面よりもわずかに突出しているので、使用者は、手の指等を使用して操作突起３１を容易に操作することができる。
【００２８】
そして、ＵＳＢメモリ装置１０を使用する際には、使用者が手の指等を使用して、操作突起３１を前進（図６における左方向へ移動）させる。これにより、可動部が本体部に対して前進し、ＵＳＢコネクタ４５が本体部内に収容された状態から前進し、前面開口２２から前方に突出する。そして、操作突起３１を前進限位置まで前進させると、図７に示されるように、ＵＳＢメモリ装置１０が使用可能な状態となる。この状態において、ＵＳＢコネクタ４５は、電子機器が備えるＵＳＢポートに接続するのに十分な長さだけ上カバー部材２０前端面から突出している。また、スライドカバー部材３０の後退防止突起３２の後端壁が上カバー部材２０の後退防止用係合突片２４と係合し、ＵＳＢコネクタ４５を含む可動部の後退が防止されている。そのため、ＵＳＢコネクタ４５を電子機器が備えるＵＳＢポートに接続する際に、ＵＳＢコネクタ４５を後退させる方向の力を受けても、ＵＳＢコネクタ４５が後退しないので、ＵＳＢコネクタ４５をＵＳＢポートに接続する作業を容易に行うことができる。
【００２９】
また、ＵＳＢメモリ装置１０を使用可能な状態から不使用の状態にする場合、使用者が手の指等を使用して、操作突起３１に下方向の力を加えつつ、該操作突起３１を後方に移動させる。これにより、後退防止突起３２が下方に移動し、後退防止突起３２の後端壁と上カバー部材２０の後退防止用係合突片２４との係合が解除されるので、可動部を本体部に対して後退させることができる。そして、操作突起３１を後退限位置まで後退させると、図６に示されるように、ＵＳＢコネクタ４５が本体部内に収容された状態となる。
【００３０】
このように、本実施例においては、ＵＳＢコネクタ４５がＵＳＢメモリ装置１０の本体部に対して移動可能に取り付けられ、不使用の際には、ＵＳＢコネクタ４５を本体部内に収容することができるようになっている。また、使用の際にＵＳＢコネクタ４５を本体部から突出させる動作も、不使用の際にＵＳＢコネクタ４５を本体部内に収容する動作も、手の指等を使用して操作突起３１を移動させるだけで、簡単に行うことができる。
【００３１】
そのため、ＵＳＢメモリ装置１０を使用する場合には、簡単な操作でＵＳＢコネクタ４５を本体部から突出させ、電子機器が備えるＵＳＢポートに接続することができる。また、ＵＳＢメモリ装置１０を使用しない場合には、簡単な操作でＵＳＢコネクタ４５を本体部内に収容することができる。これにより、ＵＳＢメモリ装置１０の保管が容易となり、また、ＵＳＢメモリ装置１０のデザイン性及び安全性を向上させることができる。
【００３２】
なお、本考案は前記実施例に限定されるものではなく、本考案の趣旨に基づいて種々変形させることが可能であり、それらを本考案の範囲から排除するものではない。
【図面の簡単な説明】
【００３３】
【図１】本実施例におけるＵＳＢメモリ装置の分解斜視図である。
【図２】本実施例におけるＵＳＢメモリ装置の上カバー部材の斜視図である。
【図３】本実施例におけるＵＳＢメモリ装置の上カバー部材の六面図である。
【図４】本実施例におけるＵＳＢメモリ装置のスライドカバー部材の斜視図である。
【図５】本実施例におけるＵＳＢメモリ装置のスライドカバー部材の六面図である。
【図６】本実施例におけるＵＳＢメモリ装置の外観を示す図でありＵＳＢコネクタが収容された状態を示す図である。
【図７】本実施例におけるＵＳＢメモリ装置の外観を示す図でありＵＳＢコネクタが突出した状態を示す図である。
【符号の説明】
【００３４】
１０    ＵＳＢメモリ装置
２０    上カバー部材
２１    上面開口
２２    前面開口
２４    後退防止用係合突片
３０    スライドカバー部材
３１    操作突起
３２    後退防止突起
４５    ＵＳＢコネクタ
【図１】
0003110924.tif 000003
【図２】
0003110924.tif 000004
【図３】
0003110924.tif 000005
【図４】
0003110924.tif 000006
【図５】
0003110924.tif 000007
【図６】
0003110924.tif 000008
【図７】
0003110924.tif 000009